(57)【要約】【課題】複数の照明器具とこれらを制御するコントローラから構成される照明システムにおいて、各照明器具の光源のばらつきを少なくし、配線の引回しが短いシンプルで高品質の照明システムを得る。【解決手段】複数の照明器具とこれらを制御するコントローラから構成される照明システム１において、コントローラと各照明器具を直列的に接続し、コントローラより、先ず照明器具Ａ１を制御する調光信号ＳＩＧ１を送出し、この信号ＳＩＧ１に基きＬＥＤ点灯制御部１３が光源１１に電流量を供給し、電流検出部１２から自己の消費電流をコントローラにフィードバックし、電流量を所定値に調整する。同時に、自己の消費電流と次段の消費電流とを比較器１４で比較し、信号加工部１５でそれらが一致するように調光信号レベルを変更し次段へ順次送信する。同様の動作を隣接する各照明器具で行うことにより照度のばらつきを抑え、光源の照度が均一な照明システムを得る。【選択図】図２
2006269393.tif 000002
【特許請求の範囲】
【請求項１】
複数の照明器具と、これら照明器具を制御するコントローラとを備えた照明システムにおいて、
前記コントローラと前記照明器具とは直列的に接続され、
前記各照明器具は、前記コントローラから送信された調光信号を次段の照明器具に順次送信すると共に、自己の消費電流とコントローラ側とは反対側に接続された照明器具の消費電流とを比較し、それらが一致するように調光信号レベルを変更することを特徴とする照明システム。
【請求項２】
複数の照明器具と、これら照明器具を制御するコントローラとを備えた照明システムにおいて、
前記コントローラと前記照明器具とは直列的に接続され、、
前記各照明器具は、前記コントローラから送信された調光信号を次段の照明器具に順次送信すると共に、自己の照度とコントローラ側とは反対側に接続された照明器具の照度とを比較し、それらが一致するように調光信号レベルを変更することを特徴とする照明システム。
【請求項３】
前記各照明器具は、コントローラ側とは反対側に接続された照明器具の消費電流又は照度のいずれかの値が基準値以下であれば、コントロール側に接続された照明器具に寿命信号を順次送信することを特徴とする請求項１又は請求項２に記載の照明システム。
【請求項４】
前記照明器具の光源は、半導体発光素子のＬＥＤであることを特徴とする請求項１乃至請求項３のいずれかに記載の照明システム。
【請求項５】
前記照明器具の光源は、発光色の異なる半導体発光素子のＬＥＤを混色することを特徴とする請求項１乃至請求項３のいずれかに記載の照明システム。
【発明の詳細な説明】
【技術分野】
【０００１】
本発明は、半導体発光素子のＬＥＤ等のばらつきの大きい光源を対象とした照明システムに関する。
【背景技術】
【０００２】
一般に、複数の照明器具を同時に点灯して利用する照明システムにおいては、照明される場所の照明環境を一定にする必要があり、そのためには各照明器具の照度をほぼ同程度に保つことが必要とされる。一方、照明システムに用いられる照明器具としては、装置の小型化や省エネ化及びインテリアの面から、光源として半導体発光素子のＬＥＤが多く使用されるようになって来ている。しかしながら、ＬＥＤは、光源としての個体差、いわゆる、ばらつきが非常に大きいため、同じ電流量で駆動してもデバイスによって照度が異なる。このため、このようなＬＥＤを使用して照明システムを構成した場合には、隣接する照明器具間の照度のばらつきが目立つことになり、照明システムの問題点となっていた。これに対し、従来より、ＬＥＤ光源の照度ばらつき低減のための種々の方策が提案されている。
【０００３】
従来のＬＥＤ等を用いた照明装置として、例えば、特許文献１に示されるように、各照明器具にアドレス指定を可能とし、アドレスに応じたデータを受け取る手段を有し、調光信号のデータをＰＷＭ信号に変換して伝送して調光するものが知られている。しかしながら、上記公報に示されるような装置では、ＬＥＤの照度を制御するフィードバック機能を持たないため、同じ調光レベルを示す信号でも、照明器具によって照度が異なることが多く、照明システムを構成した場合に、隣接する器具の照度ばらつきを十分に吸収できないという問題があった。
【０００４】
また、他の従来例として、特許文献２に示されるように、ＬＥＤの個体差や経年変化を修正するために、照明器具単体毎に発光状態を検出する検出ダイオードを設け、これによりＬＥＤの制御を行い調整する方法が知られている。しかし、この場合、検出ダイオードの感度バラツキや温度特性により、発光の検出回路自体のばらつきが加わるため、上記と同様に、複数の照明器具の照明システムでは、やはり隣接する器具間の照度のばらつきが目立つという問題があった。
【０００５】
一方、複数個の照明負荷の照度を一定にするものとして、例えば、特許文献３に示されるように、照明負荷から負荷電流を取り出し、これを負荷電圧に変換して、所定の基準電圧と比較して差分電圧を求め、この差分電圧に基づいて照明負荷に対して給電量を一定にするフィードバック制御を行う照明制御装置が知られている。しかしながら、この照明制御装置では、ＣＰＵで発生させた基準電圧を個々の照明負荷までそれぞれ配線して供給する必要があり、特に、照明器具を多数使用する場合は、配線が複雑になるという問題があった。
【０００６】
さらに、特許文献４に示されるように、複数の照明設備において、各照明器具に照明検知装置を設けて、ランプ交換時期等を集中管理する照明設備管理システムが知られている。しかしながら、このような構成においては、個々の照明器具に管理情報信号やＯＮ／ＯＦＦ制御信号とをそれぞれ１対１のラインで結ぶ必要があり配線や信号処理が複雑になると共に、中央監視制御装置で管理するため、装置が極めて複雑で大型化し、高価になるという問題を有していた。
【特許文献１】特表２００１−５１４４３２号公報
【特許文献２】特開２００３−１６３０９０号公報
【特許文献３】特開平８−１０２３６６号公報
【特許文献４】特開平８−６９８８３号公報
【発明の開示】
【発明が解決しようとする課題】
【０００７】
本発明は、上記の問題を解決するためになされたものであり、複数の照明器具と、これら照明器具を制御するコントローラとを備えた照明システムにおいて、コントローラと照明器具とを直列的に接続して構成し、各照明器具にコントローラから送信された調光信号を次段の照明器具に順次送信すると共に、自己の消費電流にコントローラ側とは反対側に接続された照明器具の消費電流を一致させることにより、各照明負荷に対する給電量を一定にし、小型で照明器具の照度のばらつきの少ない照明システムを提供することを目的とする。
【課題を解決するための手段】
【０００８】
上記目的を達成するために請求項１の発明は、複数の照明器具と、これら照明器具を制御するコントローラとを備えた照明システムにおいて、前記コントローラと前記照明器具とは直列的に接続され、前記各照明器具は、前記コントローラから送信された調光信号を次段の照明器具に順次送信すると共に、自己の消費電流とコントローラ側とは反対側に接続された照明器具の消費電流とを比較し、それらが一致するように調光信号レベルを変更するものである。
【０００９】
請求項２の発明は、複数の照明器具と、これら照明器具を制御するコントローラとを備えた照明システムにおいて、前記コントローラと前記照明器具とは直列的に接続され、前記各照明器具は、前記コントローラから送信された調光信号を次段の照明器具に順次送信すると共に、自己の照度とコントローラ側とは反対側に接続された照明器具の照度とを比較し、それらが一致するように調光信号レベルを変更するものである。
【００１０】
請求項３の発明は、請求項１又は請求項２に記載の発明において、前記各照明器具は、コントローラ側とは反対側に接続された照明器具の消費電流又は照度のいずれかの値が基準値以下であれば、コントロール側に接続された照明器具に寿命信号を順次送信するものである。
【００１１】
請求項４の発明は、請求項１乃至請求項３のいずれかに記載の発明において、前記照明器具の光源は、半導体発光素子のＬＥＤであるものである。。
【００１２】
請求項５の発明は、請求項１乃至請求項３のいずれかに記載の発明において、前記照明器具の光源は、発光色の異なる半導体発光素子のＬＥＤを混色するものである。
【発明の効果】
【００１３】
請求項１の発明によれば、複数の隣り合う照明器具において、コントローラ側と反対側の照明器具の消費電流が、コントローラ側の照明器具の消費電流に等しくなるように調整される。従って、コントローラに直列接続される全ての照明器具の消費電力が等しくなるように制御することが可能となるため、各照明器具間の照度の個体差が低減される。また、隣接する照明器具間でフィードバックするので配線が短く、接続が簡単に行え、小型で簡潔な照明システムを構築することができる。また、照明器具の増設も簡単に行うことができる。
【００１４】
請求項２の発明によれば、複数の隣り合うコントローラ側と反対側の照明器具の照度は、コントローラ側の照明器具の照度と等しくなるように調整される。従って、発光効率の異なる（同じ消費電力でも、照度が異なる）ような個体差がある光源を持つ照明システムにおいても、光源の照度の固体ばらつきを減少することができる。また、隣接する照明器具同士でフィードバックするので配線が短く、接続が簡単に行え、小型で簡潔な照明システムを構築することができる。
【００１５】
請求項３の発明によれば、隣接する照明器具の連動動作により、各照明器具の状態をコントローラに順次伝達できるため、不点灯になる照明器具が発生した場合に、調光信号のラインを用いて各照明器具が連動して寿命の照明器具の存在をコントローラに知らせることができる。
【００１６】
請求項４の発明によれば、照明器具の光源にＬＥＤを用いることにより、半導体素子として半永久的な寿命の照明ができると共に、消費電力が少なく、コンパクトで安定な光源を得ることができ、照度制御も電子的に容易に行うことができて照明システムの小型化、省エネ化が図れる。
【００１７】
請求項５の発明によれば、照明器具の光源は、発光色の異なるＬＥＤを混色とすることにより、ＲＧＢの３色を用いて照明効果を多彩に演出することができ、精度の高い色演出や白色演出が可能となる。
【発明を実施するための最良の形態】
【００１８】
以下、本発明の一実施形態に係る照明システムについて図１、図２を参照して説明する。図１は、本照明システム１の構成を示し、図２は、図１の照明器具Ａ１の具体構成を示している。各図において、対応する部分には同一符号を付している。
【００１９】
照明システム１は、本照明システム１を制御するコントローラ２と、コントローラ２に順次直列に連続して接続される照明器具Ａ１、Ａ２、Ａ３、・・、Ａｍ−１、Ａｍ・・Ａｎにより構成される。コントローラ２は、ＤＣ電源を有しており、各照明器具に対し、定電圧を電源電圧ラインＶｃｃと接地ラインＧＮＤ間に供給している。また、照明器具の電流量を決める調光信号ＳＩＧ１をパルス幅変調（ＰＷＭ）方式で送信し、一定期間中のＨＩＧＨ出力の割合で決まる調光比率を持ったＰＷＭ信号が照明器具Ａ１に供給される。照明器具Ａ１は、調光信号ＳＩＧ１を受信すると自己の判断に応じて調光信号ＳＩＧ１を修正し、照明器具Ａ２に調光信号ＳＩＧ２を送信する。また、照明器具Ａ１は、自己の光源の消費電流を示すアナログ信号である電流フィードバック信号ＩＦＢ１をコントローラ２に帰還している。同様に、照明器具Ａ２は、その光源の消費電流に基く電流フィードバック信号ＩＦＢ２を照明器具Ａ１に帰還している。このように、任意の照明器具Ａｍは、前段の照明器具Ａｍ−１に対して電流フィードバック信号ＩＦＢＡｍを帰還するフィードバックラインと、電源電圧ライン、接地ライン及び調光信号ラインの４本の配線で隣接の照明器具と接続され、この４本の配線は通常、一束にまとめて配線されている。
【００２０】
図２に示すように、照明器具Ａ１は、光源であるＬＥＤ１１と、ＬＥＤ１１の消費電流を測定する電流検出部１２と、電流検出部１２からの検出電流信号とコントローラ２からの調光信号ＳＩＧ１によりＬＥＤ１１を点灯制御するＬＥＤ点灯制御部１３と、電流検出部１２から検出される照明器具Ａ１のＬＥＤ１１の消費電流と照明器具Ａ２の電流検出部から検出される照明器具Ａ２のＬＥＤの消費電流の電流フィードバック信号ＩＦＢ２を比較する比較器１４と、比較器１４の比較結果により調光信号ＳＩＧ１を変更して次段の照明器具Ａ２の調光信号ＳＩＧ２を送出する信号加工部１５とから構成される。同様に、その他の照明器具Ａｍにおいても、同図の照明器具Ａ１と同じ構成を備えている。
【００２１】
次に、上記照明システムの動作について説明する。コントローラ２は、ＬＥＤ１１のスペックに基き、必要な照度を発生するための所定のレベルを持つＰＷＭ信号の調光信号ＳＩＧ１を照明器具Ａ１に送信する。調光信号ＳＩＧ１を受信した照明器具Ａ１は、ＬＥＤ点灯制御部１３においてＬＥＤ１１の点灯時間比率を割り出し、所定の時間の間、ＬＥＤ１１に電源を供給し、コントローラ２が指示した照度をＬＥＤ１１で実現する。また、電流検出部１２では、ＬＥＤ点灯制御部１３でＬＥＤ１１の点灯に消費した電流を測定する。その測定された電流値は、電流フィードバック信号ＩＦＢ１のアナログ信号としてコントローラ２に送信され、帰還されている。コントローラ２では、帰還されたＩＦＢ１を検出し、コントローラ２より送信した調光信号ＳＩＧ１に対応する消費電流値かどうかを判断し、もし異なる場合には調光信号ＳＩＧ１を最適値に修正する。
【００２２】
次に、照明器具Ａ１では、電流フィードバック信号ＩＦＢ１をコントローラ２に返信する一方、光源ＬＥＤ１１の消費電流を、照明器具Ａ２から返信された電流フィードバック信号ＩＦＢ２と比較器１４で比較する。そして、これらの差に基いて、照明器具Ａ２のＬＥＤ光源が消費電流が照明器具Ａ１のＬＥＤ１１の消費電流に一致するように、信号加工部１５において、照明器具Ａ２へ送信する調光信号ＳＩＧ２を変更する。但し、照明器具Ａ２から返信のない初期の場合には、調光信号ＳＩＧ１をそのまま、照明器具Ａ２に送信する。
【００２３】
上述のような動作により、コントローラ２は、照明器具Ａ１のＬＥＤ１１の消費電流を最適値に修正し、照明器具Ａ１は、照明器具Ａ２のＬＥＤ（光源）の消費電流を照明器具Ａ１のＬＥＤ１１の消費電流に合うように修正する。同様に、照明器具Ａ２は、照明器具Ａ３のＬＥＤ（光源）の消費電流を照明器具Ａ２のＬＥＤの消費電流に合うように修正し、以降、照明器具Ａｍは、照明器具Ａｍ＋１のＬＥＤ（光源）の消費電流を照明器具ＡｍのＬＥＤ（光源）の消費電流に合うように修正する。この一連の連続動作により、直列接続された照明器具が隣接する各照明器具のＬＥＤの消費電流のばらつきを順次修正するために、照明システム全体として各ＬＥＤの消費電流を同じに調整することができる。また、コントローラ２からは一定の電圧ＶｃｃでＬＥＤ１１に電源を供給しているので、各照明器具のＬＥＤの消費電流を一致させることにより、各ＬＥＤの消費電力も等しくなり、温度上昇も同等にできる。従って、隣接する照明器具のＬＥＤは、電流量のばらつきが少なくなり、照度の個体差を低減することができる。
【００２４】
次に、本発明の第２の実施形態に係る照明システムについて図３、図４を参照して説明する。図３は、本照明システム１０の構成を示し、図４は、照度検出部１６を備えた照明器具Ｂ１を示す。本実施形態は、各段の照明器具Ｂｍが前段の照明器具Ｂｍ−１にフィードバックする制御値が、電流値ではなくて照度値である点で前記実施形態と異なる。
【００２５】
照明システム１０は、前記と同様に、照明システム１０を制御するコントローラ２と、コントローラ２に順次直列に連続して接続される照明器具Ｂ１、Ｂ２、・・・Ｂｎにより構成される。コントローラ２は、ＤＣ電源を有しており、各照明器具に対し、定電圧を電源電圧ラインＶｃｃと接地ラインＧＮＤ間に供給している。また、照明器具の電流量を決める調光信号ＳＩＧＢ１をパルス幅変調（ＰＷＭ）方式で送信し、一定期間中のＨＩＧＨ出力の割合で決まる調光比率を持ったＰＷＭ信号が照明器具Ｂ１に供給される。照明器具Ｂ１は、調光信号ＳＩＧＢ１を受信すると自己の判断に応じて調光信号ＳＩＧＢ１を変更し、照明器具Ｂ２に調光信号ＳＩＧＢ２を送信している。また、照明器具Ｂ１は、自己の照度レベルを示すアナログ信号である照度フィードバック信号ΦＦＢ１をコントローラ２に帰還している。同様に、照明器具Ｂ２は、照明器具Ｂ１に対し照度フィードバック信号ΦＦＢ２を帰還している。このように、照明器具Ｂｍは、電源電圧ラインと接地ライン、調光信号ライン、前段の照明器具Ｂｍ−１に対して照度フィードバック信号ΦＦＢｍを帰還するフィードバックラインの４本の配線で隣接の照明器具と接続され、この４本の配線は通常、一束にまとめて配線されている。
【００２６】
図４に示すように、照明器具Ｂ１は、光源であるＬＥＤ１１と、ＬＥＤ１１の照度を測定する照度検出部１６と、照度検出部１６からの検出照度信号とコントローラ２からの調光信号ＳＩＧ１によりＬＥＤ１１を点灯制御するＬＥＤ点灯制御部１３と、照明器具Ｂ１と照明器具Ｂ２の各ＬＥＤの検出照度信号の照度ィードバック信号ΦＦＢ１及びΦＦＢ２を比較する比較器１４と、この比較器１４の比較結果に基いて調光信号ＳＩＧ１を加工して次段の照明器具Ｂ２の調光信号ＳＩＧ２を送出する信号加工部１５とから構成される。次段以降の照明器具Ｂｍにおいても、同図の照明器具Ｂ１と同様の構成を有する。
【００２７】
上記照明器具Ｂ１の光源のＬＥＤ１１の光出力は、フォトダイオードのような光検出ダイオードを有する照度検出部１６により直接測定され、その測定された照度値の大きさは、アナログ値に変換されコントローラに帰還される。本構成の制御動作は、前記実施形態において、電流値が照度値になった点以外は、基本的に同じなのでその説明は省略する。
【００２８】
本構成により、ＬＥＤの光出力の照度自体が、直接監視されて検出され、フィードバックされているので、発光効率がばらつくような素子においても、照度が一定になるように制御され、精度の高い調光を得ることができる。また、本照明システムにおいて、ＬＥＤに赤（Ｒ）、緑（Ｇ）、青（Ｂ）の３色を用いて照明を演出することにより、精度の高い色演出や白色演出が可能となる。
【００２９】
次に、本発明の第３の実施形態に係る照明システムについて図５及び図６を参照して説明する。図５は、本照明システムの構成を示し、図６は、図５における照明器具の具体構成を示す。本照明システム２０の構成は、コントローラ２ａに、マンマシンインターフェイスとして各照明器具の調光レベルを設定する調光操作部２１と、各照明器具の寿命状態を知らせる寿命お知らせランプ２２を備えた点で前記実施形態と異なる。
【００３０】
本照明システム２０は、前記第１の実施形態と同様に、照明システム２０を制御するコントローラ２ａと、コントローラ２ａに順次直列に連続して接続される照明器具Ｃ１、Ｃ２、Ｃ３、・・・Ｃｎにより構成される。コントローラ２ａは、ＤＣ電源を有しており、各照明器具に対し、定電圧を電源電圧ラインＶｃｃと接地ラインＧＮＤ間に供給している。また、照明器具の電流量を決める調光信号ＳＩＧ１をパルス幅変調（ＰＷＭ）方式で送信し、一定期間中のＨＩＧＨ出力の割合で決まる調光比率を持ったＰＷＭ信号が照明器具Ｃ１に供給される。照明器具Ｃ１は、調光信号ＳＩＧ１を受信すると自己の判断で調光信号ＳＩＧ１を修正し、照明器具Ｃ２に調光信号ＳＩＧ２送信している。また、照明器具Ｃ１は、自己の消費電流を示すアナログ信号である電流フィードバック信号ＩＦＢ１をコントローラ２ａに帰還し、同様に、照明器具Ｃ２は、照明器具Ｃ１に対し電流フィードバック信号ＩＦＢ２を帰還している。このように、照明器具Ｃｍは、電源電圧ラインと接地ライン、調光信号ライン、前段の照明器具Ｃｍ−１に対してフィードバック信号ＩＦＢＣｍを帰還するフィードバックラインの４本の配線で隣接の照明器具と接続され、この４本の配線は通常、一束にまとめて配線されている。
【００３１】
本実施形態の照明器具Ｃ１の構成は、前記第１の実施形態の照明器具Ａ１と基本的には同じであるが、光源１１の消費電流の大きさを基準値部１７の基準電流値と比較して判定する判定器１８が備えられている点において異なる。
【００３２】
図６に示すように、照明器具Ｃ１は、光源であるＬＥＤ１１と、ＬＥＤ１１の光出力の照度を直接測定する電流検出部１２と、電流検出部１２からの検出照度信号とコントローラ２ａからの調光信号によりＬＥＤ１１を点灯制御するＬＥＤ点灯制御部１３と、電流検出部１２から検出される照明器具Ｃ１のＬＥＤ１１の消費電流と照明器具Ｃ２のＬＥＤの消費電流の電流フィードバック信号ＩＦＢ２とを比較する比較器１４と、比較器１４の比較結果により調光信号ＳＩＧ１を加工して次段の照明器具Ｃ２の調光信号ＳＩＧ２を送出する信号加工部１５と、定電源電圧からの抵抗分割で基準電圧を構成する基準値部１７と、ＬＥＤ１１の消費電流の大きさを基準値部１７の基準値と比較して判定する判定器１８とから構成される。判定器１８は、電流検出部１２で測定されたＬＥＤ１１の消費電流値を電圧値に変換した測定電圧値（消費電流値に基づく電圧降下値）と、基準値部１７における定電源電圧Ｖｃｃと接地（ＧＮＤ）間で抵抗分割して決定される基準電圧（基準電流に相当する）とを電圧比較して、ＬＥＤの消費電流が基準値以上であるかどうかを判定している。
【００３３】
上記コントローラ２ａは、前記と同様に、ＤＣ電源を所有し各照明器具に対して定電圧（Ｖｃｃ）を供給する電源電圧ラインと接地サイン、照明器具Ｃ１で検知された電流が帰還されるフィードバックライン、各照明器具へ調光信号を送信する調光信号ラインの４本の配線を有し、さらに、これら４つの配線で各器具間が順次接続されている。また、コントローラ２ａには、マンマシンインターフェイスとして各照明器具の調光レベルを設定する調光操作部２１と各器具の寿命状態をお知らせする表示部として寿命お知らせランプ２２を備えている。
【００３４】
図７のフローチャートを用いて本照明システム２０の動作ステップを説明する。先ず、自己の照明器具ＣｍのＬＥＤの消費する電流値と次段のコントローラ側と反対側の照明器具Ｃｍ＋１のＬＥＤの消費する電流値とを比較器１４で比較し（Ｓ１）、照明器具ＣｍのＬＥＤの電流値に照明器具Ｃｍ＋１のＬＥＤの電流値が等しくなるように信号加工部１５で調光信号を補正する（Ｓ２）。次に、判定器１８において、自己のＬＥＤの電流値（電圧値に変換）を基準値部１７の電圧の基準値（消費電流の基準である基準電流に相当する電圧値）とを判定器１８に加えて判定し、消費電流値が基準値以上であれば（Ｓ３でＮＯ）、Ｓ１に戻って同じステップを繰り返す。次に、Ｓ３において、自己の照明器具の光源の消費電流値が基準値以下であれば（Ｓ３でＹＥＳ）、信号加工部１５において、コントローラ２側の調光信号を短絡し（Ｓ４）、自己の照明器具が寿命であることをコントローラ側に接続されている照明器具に知らせる。同時に、コントローラ側と反対側に接続された照明器具へは調光レベルを５０％点灯に下げる調光信号を送信する（Ｓ４）。コントローラ２は、調光信号の短絡を検出して、寿命お知らせランプ２２を点灯させる（Ｓ５）。
【００３５】
上記ステップにより、各照明器具は、コントローラ側と反対側の調光信号が短絡されたことを検出すれば、自己の光源をフル点灯させ、コントローラ側の調光信号を短絡させる。この作業は、各照明器具が連動してコントローラ側に向けて順次行われることにより、コントローラが送出している調光信号が短絡されることになる。コントローラは、この調光信号の短絡を検出して、寿命お知らせランプを点灯させる。操作者は、寿命お知らせランプ２２が点灯すると、コントローラ２に接続されている照明器具を点検し、フル点灯されている照明器具と５０％点灯されている照明器具の境界に寿命末期の照明器具があるので容易に寿命のＬＥＤ光源を見つけ出すことができる。
【００３６】
以上述べたように、本実施形態に係る照明システム１によれば、複数の隣接する各照明器具が、コントローラ２側とは反対側に接続された照明器具のＬＥＤの消費電流を、自己のＬＥＤの消費電流に一致させるように調光信号レベルを変更するので、各光源のＬＥＤの消費電流を一定にすることができ、照度のばらつきの少ない照明システム１を得ることができる。また、各照明器具が、その次段の照明器具をフィードバック制御するので、初段の照明器具以外はコントローラ２にフィードバックする必要がなく、フィードバックループが隣接する照明器具間のみで行われるので、多数の照明器具での配線が短くて済み、接続が簡単に行え、小型で簡潔な照明システムを構築することができる。さらに、照明器具を増設する場合でも隣接間のみの配線で行えるので電気配線工事が極めて簡単にできる。
【００３７】
なお、本発明は、上記実施形態に限られるものではなく、様々な変形が可能である。照度を一定化するために、光源の消費電流でなく、実際の照度を直接検出して比較することにより、より照明状態に近い条件で比較できるので、発光効率の異なる（同じ消費電流でも、照度が異なる）ような個体差がある光源を持つ照明器具においても、光源の照度の固体ばらつきを減少することができる。また、隣接する照明器具間でフィードバックするので配線が短く、簡単に接続が行え、小型で簡素な照明システムを構築することができる。
【００３８】
また、各照明器具は、隣接する次段の照明器具をフィードバック制御する連動動作により、各照明器具の寿命状態を各照明器具を介してコントローラに送信することができるので、不点灯になった照明器具の発生を自動的に感知することができ、照明器具の故障修理に迅速に対応することができる。また、各照明器具の制御する調光信号のラインを共通に用いて故障の情報を各照明器具よりコントローラに伝達できるので、寿命のお知らせランプ等を設けることにより、迅速に寿命照明器具の存在をユーザに知らせることができる。さらに、寿命照明器具の前後に接続される照明器具の照度に大きく差をつけることにより、寿命照明器具がどこで発生しているかを簡単に見分けることができる。
【００３９】
また、コントローラ２は、調光信号をＰＷＭ信号で形成しているが、デジタル信号を用いても同様の効果を得ることができる。即ち、デジタル信号を用いることによって、接続された照明器具の調光レベルを個別に指定して個別調光することもことも可能である。この場合に、照明器具はアドレス設定器を個々に設けることも可能であり、アドレス情報付きの調光信号により、ネットワークによる集中照明制御と、きめ細かい照度調整を行うことができる。
【図面の簡単な説明】
【００４０】
【図１】本発明の第１の実施形態に係る照明システムの構成図。
【図２】上記照明システムの照明器具の構成図。
【図３】本発明の第２の実施形態に係る照明システムの構成図。
【図４】上記照明システムの照明器具の構成図。
【図５】本発明の第３の実施形態に係る照明システムの構成図。
【図６】上記照明システムの照明器具の構成図。
【図７】上記照明システムの動作を示すフローチャート。
【符号の説明】
【００４１】
Ａ１〜Ａｎ、Ｂ１〜Ｂｎ、Ｃ１〜Ｃｎ  照明器具
１、１０、２０  照明システム
２、２ａ  コントローラ
１１  ＬＥＤ（光源）
【図１】
2006269393.tif 000003
【図２】
2006269393.tif 000004
【図３】
2006269393.tif 000005
【図４】
2006269393.tif 000006
【図５】
2006269393.tif 000007
【図６】
2006269393.tif 000008
【図７】
2006269393.tif 000009